(57)【要約】      （修正有）【課題】作業現場での危険性の予測及び作業性の保安を確保するに止まらず、設置作業性に優れ、保管スペースの削減ができ、しかも、横風が当たっても転倒し難い保安資材を、簡単な構造で提供する。【解決手段】例えばボード１１ａとボード１１ｂとを交差するように組み付けた本体部１１と、脚１６を有し前記ボード１１ａとボード１１ｂの両下端部を挿嵌させる十字形状の挿嵌部１７を有するベース部１５で構成されており、ボード１１ａの下端両側に脚部１２ａを有し、上端が開口されて下方に向けて伸びるスリット１３ａの上方には孔１４が形成されており、ボード１１ｂの下端部１８が方形に形成されており、さらに、ボード１１ａのスリット１３ａに組み付けて両者を交差方向に交差させるためのスリット１３ｂが、下端が開口されて上方に向けて伸びるように形成されている。【選択図】図１
2005273350.tif 000002
【特許請求の範囲】
【請求項１】
複数の脚部を設けた本体部と、脚を有しかつ前記本体部の下端部を挿嵌させる挿嵌部を設けたベース部とが具備されており、
前記本体部の上方に、外方に開口したスリットまたは該スリットに連続する孔のいずれかが形設されていることを特徴とする保安資材。
【請求項２】
前記本体部は、上端が開口放されて下方に向けて伸びるスリットまたは該スリットに連続する孔のいずれかを有する第１ボード部材と、下端が開口されて上方に向けて伸びるスリットまたは該スリットに連続する孔のいずれかを有しかつ下端部が方形に形成された第２ボード部材とを互いに交差させてなることを特徴とする請求項１に記載の保安資材。
【請求項３】
外方に開口するスリットまたは該スリットに連続する孔が上方に形設された円錐乃至円錐台形状の本体部に、ベース部が一体形成されていることを特徴とする保安資材。
【請求項４】
請求項１〜３のいずれかに記載の保安資材を並設し、前記上端が開口放されて下方に向けて伸びるスリットまたは該スリットに連続する孔に、内部に発光部を有するフレキシブルチューブまたは、電気コードまたは、安全ロープまたは、連結バーまたは連結表示体、のいずれかを係止させて架設することを特徴とする保安・防護工法。
【請求項５】
前記本体部が前記第２ボード部材のみである請求項２に記載の保安資材を並設し、当該第２ボード部材のスリットまたは該スリットに連続する孔に、内部に発光部を有するフレキシブルチューブまたは、電気コードまたは、安全ロープまたは、安全連結バーまたは連結表示体、のいずれかを係止させて架設することを特徴とする保安・防護工法。
【発明の詳細な説明】
【技術分野】
【０００１】
本発明は、危険の予測や作業の保安を確保するために作業現場や道路などに設置される保安資材と該保安資材を使用した保安・防護工法に関するものである。
【背景技術】
【０００２】
舗装打ち換え、道路改良、下水道工事などに代表される土木工事や建築工事の作業現場において、危険性の予測及び作業性の保安を確保するために使用されている従来の係る保安資材としては、上方に向けて縮経する円錐形状に型成形されその表面に横縞或いは斜縞が彩色された合成樹脂製のセーフティーコーン本体を立設したセーフティーコーンが汎用されている。
【０００３】
一方、夜間の保安・防護などを目的として、保安灯、照明灯、赤色灯などが設置されている。また、ポールやセーフティーコーンなどの頂部に連結部材を取り付け、各連結部材に、例えばＬＥＤを発光部として内部に備えたフレキシブルチューブを掛け止めたり、ポールやセーフティーコーンなどの間に連結部材を架設し、この連結部材に上記フレキシブルチューブを巻き付けて、発光部を一斉に点滅させたり、１個づつ順次に点滅させることで、作業現場や道路などの保安・防護をしている。
【発明の開示】
【発明が解決しようとする課題】
【０００４】
しかしながら、上述した従来の夜間における保安・防護などを目的として、ポールやセーフティーコーンなどの頂部に取り付けた連結部材に、例えばＬＥＤを発光部として内部に備えたフレキシブルチューブを掛け止めたり、架設した連結部材に上記フレキシブルチューブを巻き付ける工法は、設置作業が誠に面倒で手間がかかり、作業効率が悪いという問題があった。
【０００５】
本発明はかかる実情に鑑みなされたものであり、その目的は、構造が簡単で容易に製造でき、作業現場での危険性の予測及び作業性の保安を確保するに止まらず、設置作業性に優れ、保管スペースの削減ができる保安資材を提供するにある。
【０００６】
また、間伐材などの廃棄木材を有効活用することや、合成樹脂をリサイクル活用することは、本発明の他の目的とするところである。
【課題を解決するための手段】
【０００７】
上記課題を解決するために本発明が採用した手段は、請求項１の発明は、複数の脚部を設けた本体部と、脚を有しかつ前記本体部の下端部を挿嵌させる挿嵌部を設けたベース部とが具備されており、
前記本体部の上方に、外方に開口したスリットまたは該スリットに連続する孔のいずれかが形設されているところに特徴を有する保安資材を、その要旨とする。
【０００８】
請求項１の発明に係る保安資材によると、本体部の上方に、外方に開口したスリットまたは該スリットに連続する孔のいずれかが形設されているので、スリットまたは孔に、内部に発光部を有するフレキシブルチューブまたは、電気コードまたは、安全ロープまたは連結バーなどを外装させ連架させることができる。また、本体部に脚部が設けてあるので、風圧による回転が防止できる。
【０００９】
また、例えば「進入注意」などのごとく記載された連結表示体等を簡単に配置、架設でき、架設した後も本体部を直立に保持できる。
【００１０】
請求項２の発明は、請求項１記載の保安資材において、前記本体部は、上端が開口放されて下方に向けて伸びるスリットまたは該スリットに連続する孔のいずれかを有する第１ボード部材と、下端が開口されて上方に向けて伸びるスリットまたは該スリットに連続する孔のいずれかを有しかつ下端部が方形に形成された第２ボード部材とを互いに交差させてなるところに特徴がある。
【００１１】
特に、請求項２の発明に係る保安資材によると、上記作用に加えて、本体部が互いに交差する２枚のボード部材からなり、その下端部をベース部の挿嵌部に挿嵌させるように構成されているので、四方向から確実に視認できることに加えて、一方のボード部材の下端両側を切り欠いて下端部分が方形に形成されこの部分が一種の閂のように作用することが加わり、架設した後も本体部を直立に保持できる。
【００１２】
請求項３の発明は、外方に開口するスリットまたは該スリットに連続する孔が上方に形設された円錐乃至円錐台形状の本体部に、ベース部が一体形成されているところに特徴を有する保安資材を、その要旨とする。
【００１３】
請求項３の発明に係る保安資材を、上記作用に加えて、例えばＰＥＴボトルなどの廃プラスチックに代表される産業廃材等を原材とすることができ、これらをリサイクルして有効活用できる。
【００１４】
つぎに、請求項４の発明は、請求項１〜３のいずれかに記載の保安資材を並設し、前記上端が開口放されて下方に向けて伸びるスリットまたは該スリットに連続する孔に、内部に発光部を有するフレキシブルチューブまたは、電気コードまたは、安全ロープまたは、連結バーまたは連結表示体、のいずれかを係止させて架設するところに特徴を有する保安・防護工法を、その要旨とする。
【００１５】
請求項５の発明は、前記本体部が前記第２ボード部材のみで構成した請求項２に記載の保安資材を並設し、当該第２ボード部材のスリットまたは該スリットに連続する孔に、内部に発光部を有するフレキシブルチューブまたは、電気コードまたは、安全ロープまたは、安全連結バーまたは連結表示体、のいずれかを係止させて架設するとことに特徴を有する保安・防護工法を、その要旨とする。
【００１６】
請求項４または５の発明に係る保安・防護工法によると、例えば内部に発光部を有するフレキシブルチューブまたは、電気コードまたは、安全ロープまたは、安全連結バーまたは例えば「進入注意」などのごとく記載された連結表示体など、を簡単に配置、架設できる。すなわち、前記フレキシブルチューブや電気コードまたは、安全ロープ、安全連結バー、連結表示体等などを外装、連架させる設置作業に手間がかからず、作業性を向上させることができ、かつ、作業現場や道路などを保安・防護できる。
【発明の効果】
【００１７】
本発明に係る保安資材によると、本体部の上方に備えたスリットまたは該スリットに連続する孔を介して、連結用のロープまたは連結バーなどの連結部材を備えて、複数個の安全資材を例えば道路縦断方向に連結できるため、連結部材の着脱が容易であり、また、道路縦断方向への転倒を防止することができる。
【００１８】
特に、請求項２の発明に係る保安資材によると、上記作用効果に加えて、前記本体部を構成する２枚のボードは、それぞれその両側に脚部が備えられており、また、前記ベース部にも脚部が備えられており、さらに、ベース部に形成された挿嵌部に、前記２枚のボードを互いに交差させてその下端部を挿嵌するように構成されているため、前記ベース部に前記本体部をがたつくことなく、堅牢に立設、支持させることができ、転倒防止できる。
【００１９】
請求項４または５の発明に係る保安・防護工法によると、上記作用効果に加えて、本体部の上方に備えた孔に、安全ロープ、電気コード、連結バーの外、内部に発光部を有するフレキシブルチューブをも容易に連架することができるため、かかるフレキシブルチューブなどの設置作業を短時間で確実に終えることができ、資材費、人件費等を大幅に削減することができる。
【発明を実施するための最良の形態】
【００２０】
以下、実施例により本発明をより具体的に説明するが、これらはその代表的なものを例示したに過ぎず、本発明はこれら実施例に限定されるものではない。
【００２１】
図１は実施例１の保安資材１０を模式的に示す分解斜視図であり、図２は同保安資材１０の概略斜視図である。
【００２２】
図において、この保安資材１０は、ボード１１ａとボード１１ｂとを交差するように組み付けた本体部１１と、四隅に脚１６を有し、前記ボード１１ａとボード１１ｂの両下端部を挿嵌させる十字形状の挿嵌部１７を有するベース部１５で構成されている。ただし、脚１６の数量や配設位置を限定するものではなく、例えば３脚にするとか互いに対峙する２脚で構成するなど、適宜設計変更することができること無論である。
【００２３】
ボード１１ａは、間伐材を厚さ２ｃｍの台形板状に製材したものであり、下端両側のそれぞれに脚部１２ａを有し、上端に開口を有し下方に向けて伸びるスリット１３ａを有し、スリット１３ａの上方には孔１４が形成されている。ボード１１ｂもまた間伐材を厚さ２ｃｍの台形板状に製材したものであり、下端両側を切り欠いて下端部１８が方形に形成されており、かつ、ボード１１ａのスリット１３ａに組み付けて両者を略直交方向に交差させるためのスリット１３ｂが、下端に開口を有し上方に向けて伸びるように形成されている。
【００２４】
ベース部１５に備えた挿嵌部１７にまず、上記ボード１１ａの下端部を挿嵌させ、ついで、ボード１１ａのスリット１３ａに沿って、ボード１１ｂのスリット１３ｂを挿嵌させながら、ベース部１５に備えた挿嵌部１７に上記ボード１１ａの下端部を挿嵌させると、ベース部１５に、ボード１１ａとボード１１ｂとが互いに略直交方向に交差する本体部１１として組み付けできる。この時、ボード１１ｂの下端両側を切り欠いて下端部分が方形に形成されておりこの部分が一種の閂のように作用するので、ベース部１５に本体部１１をがたつくことなく堅牢に立設させることができる。そして、ベース部１５の脚１６、および、ボード１１ａとボード１１の脚部１２ａ、１２ａの安定性寄与なる作用が加わり、ベース部１５に本体部１１を安定支持できるのである。
【００２５】
なお、実施例１の保安装置１０において、ボード１１ａの上方に形成される孔１４の位置を限定するものではなく、例えばボード１１ｂのスリット１３ｂの上方に形成するなど様々に設計変更できるものとする（図示しない）。
【００２６】
実施例１の保安装置１０によると、上端が開口して下方に向けて伸びるスリット１３ａ（または、スリット１３ａに連続する孔１４）に、ロープや連結バー等の連結部材、電線コードなどを通して複数の保安資材を連結でき、さらに、スリット１３ａ（または、スリット１３ａに連続する孔１４）に、発光部を有するフレキシブルチューブ５を挿嵌することができ、これら発光部を一斉に点滅させたり１個づつ順次に点滅させることができること無論である。
【００２７】
また、図３に示すように、前記上端に開口を有し下方に向けて伸びるスリットを形成されたボード部材１１ａの複数を並設させ、該スリット１３ａに例えば「進入注意」と記載した連結表示体３等を架設したり（請求項４の発明に相当する）、あるいは、図４に示すように、前記下端に開口を有し上方に向けて伸びるスリット１３ｂを有しかつ下端部が方形に形成されたボード部材１１ｂの複数が並設され、該スリットに前記連結表示体を架設することができる（請求項５の発明に相当する）こと無論である。
【００２８】
実施例２の保安資材２０は、図５の斜視図で示すように、本体部２１は、下端両側に脚部２２を有し一枚のボード部材として形成されているものであり、上方に外方に開口するスリット２３ａと該スリット２３ａに連続する孔２４が形成されており、四隅に脚２６を有するベース部２５に形成された一文字形状の挿嵌部２７に対して、本体部２１の下端部分を挿嵌させるように構成されているものである。
【００２９】
実施例３の保安資材３０は、廃ＰＥＴのリサイクル樹脂を型成形して、本体部分３１が円錐形に形成されており、本体部分３１の上方にスリット３３と孔３４が形成されており（図６参照）、この孔３４に、連結用のロープや連結バーなどの連結部材、電気コード、あるいは、内部に発光部を有するフレキシブルチューブなどを外装して連架できるようになっており、転倒防止用のおもりを乗せたり、路面に釘やアンカーボルトを打ち付けて固定させる。
【００３０】
ただし、本体部分の上方に形成される孔の寸法形状などを限定するものではなく、例えば上部の周壁側から切り込んだスリット形状の孔３４ａであっても良く（図７）また、頂部から下方に切り込んだスリット形状の孔３４ｂであっても構わない（図８）。
【００３１】
上記各実施例において、前記本体部およびベース部の原材や寸法形状などを制限するものではなく、これらは設計変更可能な事項とする。これらが例えば間伐材などの廃棄木材や、廃プラスチック等のリサイクル原料を使用して製造されていると、廃材の有効活用ができるから好ましい。また、特には本体部が例えば赤地（又は黄地、緑地など）に彩色されており、その上に例えば白色の横縞或いは斜縞にて彩色されていると、より視認し易くなるため、作業現場での危険性の予測及び作業性の保安という観点において好適である。
【図面の簡単な説明】
【００３２】
【図１】図１は実施例１の保安資材を模式的に示す分解斜視図である。
【図２】図２は同保安資材を概略的に示す分解斜視図である。
【図３】図３は実施例２の保安資材を模式的に示す斜視図である。
【図４】図４は実施例２の他の保安資材を模式的に示す斜視図である。
【図５】図５は実施例２のまた他の保安資材を模式的に示す斜視図である。
【図６】図６（ａ）は実施例３の保安資材を模式的に示す斜視図であり、図６（ｂ）は同保安資材の平面図である。
【図７】図７は実施例３の他の保安資材を模式的に示す斜視図である。
【図８】図８は実施例３のまた他の保安資材を模式的に示す斜視図である。
【符号の説明】
【００３３】
３  …  連結表示体
５  …  フレキシブルチューブ
１０  …  保安資材
１１  …  本体部
１１ａ…  ボード
１１ｂ…  ボード
１２  …  脚部
１２ａ…  脚部
１２ｂ…  脚部
１３  …  スリット
１３ａ…  スリット
１３ａ’…孔
１３ｂ…  スリット
１３ｂ’…孔
１４  …  孔
１５  …  ベース部
１６  …  脚
１７  …  挿嵌部
１８  …  下端部
２０  …  保安資材
２１  …  本体部
２２  …  脚部
２４  …  孔
２４ａ…  スリット
２５  …  ベース部
２６  …  脚
２７  …  挿嵌部
２９  …  連結表示体
３０  …  保安資材
３１  …  本体部分
３３  …  スリット
３４  …  孔
３４ａ…  孔
３４ｂ…  孔
【図１】
2005273350.tif 000003
【図２】
2005273350.tif 000004
【図３】
2005273350.tif 000005
【図４】
2005273350.tif 000006
【図５】
2005273350.tif 000007
【図６】
2005273350.tif 000008
【図７】
2005273350.tif 000009
【図８】
2005273350.tif 000010